【手続補正書】
【提出日】平成24年2月8日(2012.2.8)
【手続補正１】
【補正対象書類名】特許請求の範囲
【補正対象項目名】全文
【補正方法】変更
【補正の内容】
【特許請求の範囲】
【請求項１】
コンピューティングデバイスによって複数の投資ファンドの中から目標とする投資ファンドを選択する段階；
前記コンピューティングデバイスによって、証券を評価するための少なくとも一つの基準を含む、前記目標とする投資ファンドと関連したフィルタを検索する段階；
前記フィルタの前記少なくとも一つの基準に基づいて、少なくとも一つの目標とする証券が前記目標とする投資ファンドから除外される、前記少なくとも一つの目標とする証券のリストを前記コンピューティングデバイスによって作成する段階；
前記コンピューティングデバイスによって前記目標とする証券のカーボンフットプリントを算出する段階；
前記コンピューティングデバイスによって前記カーボンフットプリントを相殺するのに必要なカーボンクレジットの量を算出する段階；
前記コンピューティングデバイスによって前記カーボンフットプリントを相殺するのに必要なカーボンクレジットの前記量を購入する段階；
前記コンピューティングデバイスによって、相殺されたカーボンフットプリントを有する再生された証券を作成するために、前記目標とする証券を前記購入したカーボンクレジットと組み合わせる段階；および
前記コンピューティングデバイスによって前記再生された証券を信託に保管する段階、
を含む方法。
【請求項２】
請求項１に記載の方法であって、前記カーボンフットプリントを算出する動作が：
前記コンピューティングデバイスによって、前記少なくとも1つの目標とする証券と関連したエンティティによって或る期間中に発生するカーボン排出の量を算出する段階；
前記コンピューティングデバイスによって、前記期間中に前記エンティティによって所有される証券の量を算出する段階；
前記コンピューティングデバイスによって、前記少なくとも１つの目標とする証券の量を算出する段階；
カーボン対証券比率を作成するために、発前記コンピューティングデバイスによって、生する前記カーボン排出の量を前記証券の量によって除算する段階；および
前記少なくとも１つの目標とする証券のための前記カーボンフットプリントを作成するために、前記コンピューティングデバイスによって、前記カーボン対証券比率を前記少なくとも１つの目標とする証券の量によって乗算する段階
を含む方法。
【請求項３】
請求項１に記載の方法であって、前記カーボンフットプリントが、企業体の1つ以上の活動と関連した温暖化ガスの排出を表す、方法。
【請求項４】
請求項１に記載の方法であって、前記カーボンフットプリントが、排出される二酸化炭素のトン数で測定される、方法。
【請求項５】
請求項１に記載の方法であって、前記カーボンクレジットが、少なくとも一つの温暖化ガスプロジェクトから発生される、方法。
【請求項６】
請求項５に記載の方法であって、前記温暖化ガスプロジェクトが、森林隔離、土壌保全、電気的効率、燃料転換、動物排泄物再利用、または埋立地ガス捕捉、のうちの少なくとも１つを含む、方法。
【請求項７】
請求項１に記載の方法であって、前記カーボンクレジットが、割当制、認証された排出削減（ＣＥＲ）、排出削減ユニット（ＥＲＵ）、または検証された排出削減（ＶＥＲ）、のうちの１つを含む、方法。
【請求項８】
請求項１に記載の方法であって、カーボンクレジットの前記量を購入する動作が：
前記カーボンフットプリントを相殺するのに必要な前記カーボンクレジットの量のパーセンテージを購入する段階を含む、方法。
【請求項９】
請求項１に記載の方法であって：
前記カーボンフットプリントを算出するために使用する少なくとも一つの公式を含むメモを公表する段階をさらに含む、方法。
【請求項１０】
請求項９に記載の方法であって：
前記メモを前記信託の少なくとも一人の株主に配布する段階をさらに含む、方法。
【請求項１１】
請求項９に記載の方法であって：
前記信託の株式を前記目標とする投資ファンドに売却する段階をさらに含む、方法。
【請求項１２】
装置であって：
プロセッサ；及び
命令を保管するメモリであって、該プロセッサによって実行されるとき、該プロセッサが：
複数の投資ファンドの中から目標とする投資ファンドを選択し；
証券を評価するための少なくとも一つの基準を含む、前記目標とする投資ファンドと関連したフィルタを検索し；
前記フィルタの前記少なくとも一つの基準に基づいて前記目標とする投資ファンドから除外される、少なくとも一つの目標とする証券のリストを作成し；
前記目標とする証券のカーボンフットプリントを算出し；
前記カーボンフットプリントを相殺するのに必要なカーボンクレジットの量を算出し；
前記カーボンフットプリントを相殺するのに必要なカーボンクレジットの前記量を購入し；
相殺されたカーボンフットプリントを有する再生された証券を作成するために、前記目標とする証券を前記購入したカーボンクレジットと組み合わせ；および
前記再生された証券を信託に保管する、ように指示するメモリ、
を含む装置。
【請求項１３】
請求項１２に記載の装置であって、前記カーボンフットプリントを算出する動作が：
前記少なくとも１つの目標とする証券と関連したエンティティによって或る期間中に発生するカーボン排出の量を算出する段階；
前記期間中に前記エンティティによって所有される証券の量を算出する段階；
前記少なくとも１つの目標とする証券の量を算出する段階；
カーボン対証券比率を作成するために、前記発生するカーボン排出の量を前記証券の量によって除算する段階；および
前記少なくとも１つの目標とする証券のための前記カーボンフットプリントを作成するために、前記カーボン対証券比率を前記少なくとも１つの目標とする証券の前記量によって乗算する段階、を含む装置。
【請求項１４】
請求項１２に記載の装置であって、前記カーボンフットプリントが、企業体の1つ以上の活動と関連した温暖化ガスの排出を表す、装置。
【請求項１５】
請求項１２に記載の装置であって、前記カーボンフットプリントが、排出される二酸化炭素のトン数で測定される、装置。
【請求項１６】
請求項１２に記載の装置であって、前記カーボンクレジットが、少なくとも一つの温暖化ガスプロジェクトから発生される、装置。
【請求項１７】
請求項１５に記載の装置であって、前記温暖化ガスプロジェクトが、森林隔離、土壌保全、電気的効率、燃料転換、動物排泄物再利用、または埋立地ガス捕捉、のうちの少なくとも１つを含む、装置。
【請求項１８】
請求項１２に記載の装置であって、前記カーボンクレジットが、割当制、認証された排出削減（ＣＥＲ）、排出削減ユニット（ＥＲＵ）、または検証された排出削減（ＶＥＲ）、のうちの１つを含む。
【請求項１９】
請求項１２に記載の装置であって、カーボンクレジットの前記量を購入する動作が以下を含む：
前記カーボンフットプリントを相殺するのに必要なカーボンクレジットの前記量のパーセンテージを購入すること。
【請求項２０】
請求項１２に記載の装置であって、前記命令は、前記プロセッサによって実行されるとき、該プロセッサが：
前記カーボンフットプリントを算出するために使用する少なくとも一つの公式を含むメモを公表するようにさらに指示する、装置。
【請求項２１】
請求項２０に記載の装置であって、前記命令は、前記プロセッサによって実行されるとき、該プロセッサが：
前記メモを前記信託の少なくとも一人の株主に配布するようにさらに指示する、装置。
【請求項２２】
請求項１２に記載の装置であって、前記命令は、前記プロセッサによって実行されるとき、該プロセッサが：
前記信託の株式を前記目標とする投資ファンドに売却するようにさらに指示する、装置。
【請求項２３】
請求項１２に記載の装置であって、前記カーボンフットプリントを算出する行為が：
前記少なくとも１つの目標とする証券と関連したエンティティによって或る期間中に発生するカーボン排出の量を算出する段階；
前記期間中に前記エンティティによって所有される証券の量を算出する段階；
前記少なくとも１つの目標とする証券の量を算出する段階；
カーボン対証券比率を作成するために、前記発生するカーボン排出の量を前記証券の量によって除算する段階；および
前記少なくとも１つの目標とする証券のための前記カーボンフットプリントを作成するために、前記カーボン対証券比率を前記少なくとも１つの目標とする証券の前記量によって乗算する段階、を含む装置。
【請求項２４】
請求項１２に記載の装置であって：
前記信託の株式を少なくとも1人の投資家に売却する段階をさらに含む、装置。
【請求項２５】
請求項２４に記載の装置であって、前記少なくとも1人の投資家と関連したフィルタは、証券を評価するための少なくとも一つの基準を含み、前記目標とする証券は、前記少なくとも1人の投資家と関連したフィルタの前記少なくとも一つの基準に基づいて前記投資家による直接投資から除外される、装置。
【請求項２６】
請求項１２に記載の装置であって：
前記再生された証券を前記少なくとも1人の投資家に売却する段階であって、前記少なくとも1人の投資家と関連したフィルタは、証券を評価するための少なくとも一つの基準を含み、前記目標とする証券は、前記少なくとも1人の投資家と関連したフィルタの前記少なくとも一つの基準に基づいて前記投資家による直接投資から除外される、段階をさらに含む、装置。
【請求項２７】
請求項１２に記載の装置であって、前記目標とする投資ファンドは、複数の異なるタイプの証券を購入、保有及び売却するエンティティを含む、装置。
【請求項２８】
請求項１２に記載の装置であって、前記投資家は、複数の異なるタイプの証券を購入、保有及び売却するエンティティを含む、装置。
【請求項２９】
請求項１２に記載の装置であって、前記信託は、前記目標とする証券の複数の投資ユニットを保管し、前記カーボンクレジットは、複数の投資ユニットを含む、装置。